(57)【要約】      （修正有）【課題】簡易な制御で２個以上の個数の荷物を共通する宅配ボックスに収容できるシステムを提供する。【解決手段】宅配ボックス１は電気錠１２を備えて玄関子機２と通信し、玄関子機２は居住者を呼び出すための呼出ボタン２１と、宅配ボックス１を操作する人物を撮像するカメラ２２と、呼び出した相手と通話するための通話部２３と、宅配ボックス１と通信する第１通信ＩＦ２７と、携帯端末４と通信する第２通信ＩＦ２８とを有し、携帯端末４は電気錠１２の解錠操作を行う解錠ボタンを有している。解錠ボタンは、宅配ボックス１が施錠され且つ玄関子機２と携帯端末４とが通話状態にある場合に操作可能であり、解錠操作されると玄関子機２を介して解錠信号が宅配ボックス１に送信されて電気錠１２が解錠される一方、解錠信号を中継した呼出手段は電気錠１２が解錠されている間、カメラ２２の撮像映像を映像保存部２５に保存する。【選択図】図１
2020137545.tif 000002
【特許請求の範囲】
【請求項１】
電気錠を備えた宅配ボックスと、居住者を呼び出すための呼出手段と、呼び出しに応答するために居住者が携行する携帯端末とを有する宅配ボックスシステムであって、
前記宅配ボックスは前記呼出手段と通信する宅配ボックス通信部を有すると共に、
前記呼出手段は、居住者を呼び出すための呼出ボタンと、前記宅配ボックスを操作する人物の撮像が可能なカメラと、呼び出した相手と通話するための通話部と、前記宅配ボックスと通信する第１通信部と、前記携帯端末と通信する第２通信部とを有し、
更に前記携帯端末は、通信ネットワークを介して前記呼出手段と通信する無線通信機能と、通信相手と通話を可能とする通話機能と、前記電気錠の解錠操作を行う解錠操作部とを有し、
前記解錠操作部は、前記宅配ボックスが施錠され且つ前記呼出手段と前記携帯端末とが通話状態にある場合に操作可能であり、解錠操作されると呼出手段を介して解錠信号が前記宅配ボックスに送信されて前記電気錠が解錠される一方、
前記解錠信号を中継した前記呼出手段は、前記電気錠が解錠されている間、前記カメラを撮像させて所定の保存部に撮像映像を保存させるカメラ制御部を有することを特徴とする宅配ボックスシステム。
【請求項２】
前記呼出手段は、前記宅配ボックスの電気錠の状態を表示する着荷表示部を有し、
前記電気錠が施錠されたら着荷表示を実施することを特徴とする請求項１記載の宅配ボックスシステム。
【請求項３】
前記呼出手段は、施錠状態にあった前記電気錠が解錠したら、前記通話部のスピーカから所定のメッセージを報音する報音制御部を有することを特徴とする請求項１又は２記載の宅配ボックスシステム。
【請求項４】
前記呼出手段がインターホン装置の一部を成す玄関子機であると共に、前記カメラ制御部は呼出操作を受けたら呼出信号送信先に前記カメラの撮像映像を送信し、
前記携帯端末は、送信された映像を表示する表示部を有することを特徴とする請求項１乃至３の何れかに記載の宅配ボックスシステム。
【発明の詳細な説明】
【技術分野】
【０００１】
本発明は宅配ボックスに関し、詳しくは宅配ボックスに複数の荷物を収容可能とした宅配ボックスシステムに関する。
【背景技術】
【０００２】
従来の宅配ボックスは、一度荷物を収容すると施錠されるため２個目の荷物を収容することができなかった。そのため、宅配ボックスに収容されている荷物が収容スペースに比べて小さく複数の荷物の収容が可能であっても、２個目以降の荷物の収容はできず宅配業者は荷物を持ち帰って再配達していた。
これでは宅配業者の業務負担が解消されないため、同一の収容スペースに２個目の荷物の収容を可能とした宅配ボックスシステムが提案されている。例えば、特許文献１のものは、荷物が収容されていても、宅配ボックスの演算部が２個目を収容するスペースがあると判定した場合は、自動で電気錠を解錠して２個目の荷物の収容を可能とした。
【先行技術文献】
【特許文献】
【０００３】
【特許文献１】特開２０１７−８６５４０号公報
【発明の概要】
【発明が解決しようとする課題】
【０００４】
上述したように、上記特許文献１の宅配ボックスシステムは、２個目の荷物を収容可能としたため、宅配業者の負担を軽減することができた。しかしながら、既に荷物が収容されている宅配ボックスを解錠することになるため、宅配業者を認証するための認証部を設けてセキュリティの維持を図った。また、宅配業者に自動対応するための音声合成部を設ける等複雑な制御が必要でありコスト高なシステムであった。
【０００５】
そこで、本発明はこのような問題点に鑑み、簡易な制御で２個以上の個数の荷物を共通する宅配ボックスに収容できるシステムを提供することを目的としている。
【課題を解決するための手段】
【０００６】
上記課題を解決する為に、請求項１の発明は、電気錠を備えた宅配ボックスと、居住者を呼び出すための呼出手段と、呼び出しに応答するために居住者が携行する携帯端末とを有する宅配ボックスシステムであって、宅配ボックスは呼出手段と通信する宅配ボックス通信部を有すると共に、呼出手段は、居住者を呼び出すための呼出ボタンと、宅配ボックスを操作する人物の撮像が可能なカメラと、呼び出した相手と通話するための通話部と、宅配ボックスと通信する第１通信部と、携帯端末と通信する第２通信部とを有し、更に携帯端末は、通信ネットワークを介して呼出手段と通信する無線通信機能と、通信相手と通話を可能とする通話機能と、電気錠の解錠操作を行う解錠操作部とを有し、解錠操作部は、宅配ボックスが施錠され且つ呼出手段と携帯端末とが通話状態にある場合に操作可能であり、解錠操作されると呼出手段を介して解錠信号が宅配ボックスに送信されて電気錠が解錠される一方、解錠信号を中継した呼出手段は、電気錠が解錠されている間、カメラを撮像させて所定の保存部に撮像映像を保存させるカメラ制御部を有することを特徴とする。
この構成によれば、宅配ボックスが施錠されていたら、呼出手段を介して荷物の受取人である居住者に解錠して貰うことができるため、荷物の追加収容が可能となり宅配業者の業務負担を軽減できる。そして、宅配業者が荷物を宅配ボックスに収容する操作は、撮像されて映像が保存されるためセキュリティを維持できる。よって、２個以上の個数の荷物を共通する宅配ボックスに収容できるシステムを簡易な制御で実施できる。
【０００７】
請求項２の発明は、請求項１に記載の構成において、呼出手段は、宅配ボックスの電気錠の状態を表示する着荷表示部を有し、電気錠が施錠されたら着荷表示を実施することを特徴する。
この構成によれば、電気錠が施錠されたら呼出装置は着荷状態であると判断して着荷表示を行う。よって、宅配業者は宅配ボックスが既に使用状態にあることを速やかに判断でき、居住者に対して解錠依頼をする等の次のステップに進むことができる。
【０００８】
請求項３の発明は、請求項１又は２に記載の構成において、呼出手段は、施錠状態にあった電気錠が解錠したら、通話部のスピーカから所定のメッセージを報音する報音制御部を有することを特徴とする。
この構成によれば、「解錠しました」等のメッセージの報音により、解錠したことを認識でき、宅配業者はスムーズに荷物を宅配ボックスに入れることができる。
【０００９】
請求項４の発明は、請求項１乃至３の何れかに記載の構成において、呼出手段がインターホン装置の一部を成す玄関子機であると共に、カメラ制御部は呼出操作を受けたら呼出信号送信先にカメラの撮像映像を送信し、携帯端末は送信された映像を表示する表示部を有することを特徴とする。
この構成によれば、呼出手段をインターホン装置の玄関子機と兼用するため、安価に構成できる。また、呼び出しを受けた携帯端末は宅配業者を映像で確認でき、セキュリティ維持に有効である。
【発明の効果】
【００１０】
本発明によれば、宅配ボックスが施錠された状態にあっても、呼出手段を介して荷物の受取人である居住者に解錠して貰うことができるため、荷物の追加収容が可能となり宅配業者の業務負担を軽減できる。そして、宅配業者が荷物を宅配ボックスに収容する操作は、撮像されて保存されるためセキュリティを維持できる。よって、２個以上の個数の荷物を共通する宅配ボックスに収容できるシステムを簡易な制御で実施できる。
【図面の簡単な説明】
【００１１】
【図１】本発明に係る宅配ボックスシステムの一例を示す概略構成図である。
【図２】宅配ボックスの外観図である。
【図３】携帯端末の表示説明図である。
【発明を実施するための形態】
【００１２】
以下、本発明を具体化した実施の形態を、図面を参照して詳細に説明する。図１は本発明に係る宅配ボックスシステムの一例を示す概略構成図であり、１は宅配ボックス、２は居住者を呼び出すための呼出手段である玄関子機、３は住戸内に設置されて玄関子機２からの呼び出しに応答するための居室親機、４は通信ネットワークＮを介して玄関子機２と通信が可能な携帯端末である。
【００１３】
尚、玄関子機２と居室親機３とでインターホン装置を構成し、玄関子機２からの呼び出しに居室親機３で応答可能となっているが、居室親機３は無くとも良く、その場合は携帯端末４が玄関子機２からの呼び出しに応答するインターホン装置の一方の構成機器となる。
【００１４】
宅配ボックス１は、宅配物である荷物を収容する荷物スペース１１に設けられている扉（図示せず）を施錠する電気錠１２、電気錠１２を制御する宅配ボックスＣＰＵ１３、電気錠１２を施錠操作する施錠部１４、玄関子機２と通信する宅配ボックス通信ＩＦ１５等を備え、玄関子機２に有線接続されている。
【００１５】
玄関子機２は、居住者を呼び出す呼出ボタン２１、来訪者或いは宅配業者等の操作者を撮像するためのカメラ２２、通話するためのマイク２３ａ及びスピーカ２３ｂを備えた通話部２３、ＬＥＤを有して夜間照明の機能を有する照明部２４、カメラ２２の撮像映像を保存する映像保存部２５、玄関子機２を制御する子機ＣＰＵ２６、宅配ボックス１及び居室親機３と通信する第１通信ＩＦ２７、携帯端末４と通信する第２通信ＩＦ２８等を備えている。
【００１６】
ここで、照明部２４の動作を説明する。照明部２４は、夜間に呼出ボタン２１が押されたらカメラ２２による来訪者の撮像を可能とするために点灯する一方で、着荷表示部を兼用している。そのため、宅配ボックス１の電気錠１２が施錠動作したら、着荷有りを通知するための動作を行い、例えば点滅等夜間照明とは異なる点灯動作をする。更には、通常とは異なる色で発光するよう構成されている。
【００１７】
居室親機３は、玄関子機２が呼出操作されたらそれを報知し、応答操作する通話ボタン３１、カメラ２２の撮像映像を表示するモニタ３２、通話するためのマイク３３及びスピーカ３４を備えた通話部等を備え、玄関子機２に有線接続されている。
【００１８】
携帯端末４は、映像を表示可能な表示部４１、通信先の相手と通話を可能とする通話機能、各種操作を行うタッチパネルから成る操作部４２、通信ネットワークＮを介して玄関子機２と通信する無線通信機能を有し、例えばスマートフォンが使用できる。
スマートフォンを使用する場合は、玄関子機２と通信している状態で、宅配ボックス１の電気錠１２の解錠操作を可能とするソフトウェアをインストールすれば良く、専用の携帯端末を使用する必要が無くシステムを安価に構成できる。
【００１９】
図２は宅配ボックス１の一例を示す外観図であり、玄関子機２に加えて郵便受け６と一体に形成された状態を示している。左右に立設した支柱７ａと天枠７ｂとから成るコ字状のフレーム７の内側に組み付けられて形成されている。
このように、宅配ボックス１と玄関子機２を同一のフレーム７に組み付けることで、宅配ボックス１に荷物の収容を行う宅配業者を、確実に玄関子機２のカメラ２２で撮像できる。尚、郵便受け６を無くして宅配ボックス１のサイズを拡張しても良い。
【００２０】
上記の如く形成された宅配ボックスシステムの動作は以下の様である。但し、居室親機３を持たない構成を中心に説明する。
まず、宅配業者が配達先の住戸に到着したら、玄関子機２を操作して居住者を呼び出す。呼出信号は通信ネットワークＮを介して携帯端末４に送信される。また、このときカメラ２２が起動して、呼出信号と共に携帯端末４に撮像映像が送信される。通知を受けた携帯端末４を携行する居住者は、表示部４１に表示された宅配業者の映像を見ながら応答することができる。
この通話の結果、在宅であれば荷物は直接居住者に渡されて配達は終了する。この場合、宅配ボックス１は使用しない。
【００２１】
一方、玄関子機２から居住者を呼び出して携帯端末４から応答を受けた結果、居住者が外出中であることが判明した場合は、宅配ボックス１が使用される。但し、宅配ボックス１を使用するにあたり、着荷の無い空の状態と、既に着荷状態にあり施錠されている場合の２通りがあり、まず空の場合を説明する。
【００２２】
宅配ボックス１が空の状態では、電気錠１２は開状態にあるため、扉を開けて荷物を収容でき、施錠部１４を操作して施錠すれば配達は完了となる。
そして施錠操作を受けて、宅配ボックスＣＰＵ１３は玄関子機２に施錠信号を送信する。施錠信号を受けた玄関子機２は、子機ＣＰＵ２６の制御により、照明部２４が着荷表示動作を開始する。また、玄関子機２から通信ネットワークＮを介して携帯端末４に着荷を通知する着荷通知が成され、着荷通知を受信した携帯端末４では、受信動作して表示部４１に「着荷通知がありました」等が表示される。
【００２３】
次に、既に宅配ボックス１に荷物が収容されて着荷状態にあって施錠されている場合を説明する。居住者と通話して居住者が外出中である事が判明し、且つ照明部２４の着荷表示動作により、宅配ボックス１が施錠状態にあることを認識した宅配業者は、通話相手の居住者に解錠を依頼する。
図３は、このときの携帯端末４の表示、即ち呼び出しを受けた時の表示を示している。図３において、４ａは応答するための通話ボタン、４ｂは終話するための終了ボタン、４ｃは宅配ボックス１を解錠操作する解錠ボタン、Ｍはカメラ２２が撮像している宅配業者が表示されている状態を示している。
解錠依頼を受けた居住者は、図３に示すように操作部４２でもある表示部４１に表示されている解錠ボタン４ｃをタッチして解錠操作する。この操作で、解錠信号が生成されて玄関子機２に送信される。
【００２４】
尚、解錠ボタン４ｃは玄関子機２から着荷通知を受けた場合に表示され、宅配ボックス１が空の状態であれば解錠ボタン４ｃは表示されない。また、通話後に解錠操作を行っているが、呼出通知を受けた時点から表示されるカメラの撮像映像により、居住者は宅配業者による呼び出しであることを把握できる。その場合は応答操作すること無く直接解錠ボタン４ｃを操作して解錠させても良い。
【００２５】
解錠信号を受信した玄関子機２は、子機ＣＰＵ２６の制御により次のように動作する。宅配ボックス１に解錠信号が送信されて電気錠１２が解錠される。また、照明部２４の着荷表示動作が終了する。同時に、通話部２３のスピーカ２３ｂから、「電気錠が解錠されました」のメッセージが報音される。このメッセージ音声は玄関子機２に予め記憶されている。
【００２６】
更に、呼出操作を受けて開始されたカメラ２２の撮像は継続され、電気錠１２が解錠されてから施錠されるまでの撮像映像が映像保存部２５に保存される。この保存映像は、携帯端末４を操作して入手でき、表示部４１に表示可能となっている。
尚、映像保存部２５に保存される映像は、呼出操作を受けてカメラ２２が起動してからの全撮像映像としても良い。
【００２７】
こうしてメッセージの報音により電気錠１２が解錠されたことを認識した宅配業者は、荷物を宅配ボックス１に入れて施錠する。こうして配達は完了する。
また施錠された宅配ボックス１は、玄関子機２にそれを通知し、子機ＣＰＵ２６は照明部２４を再び着荷表示動作させる。更に通信ネットワークＮを介して携帯端末４に着荷を通知する着荷通知を行う。
【００２８】
尚、居室親機３がある場合は、玄関子機２からの呼び出しを受けて携帯端末４と共に呼出音を報音等呼出動作するし、応答操作が成されれば通話路が形成される。また、宅配ボックス１に荷物が収容されて施錠されたら、玄関子機２から着荷通知が成され、携帯端末４と同様の表示動作をする。
【００２９】
このように、宅配ボックス１が施錠されていたら、玄関子機２を介して荷物の受取人である居住者に解錠して貰うことができるため、荷物の追加収容が可能となり再配達を防止でき宅配業者の業務負担を軽減できる。そして、宅配業者が荷物を宅配ボックス１に収容する操作は、撮像されて映像が保存されるためセキュリティを維持できる。よって、２個以上の個数の荷物を共通する宅配ボックス１に収容できるシステムを簡易な制御で実施できる。
また、電気錠１２が施錠されたら玄関子機２は着荷状態であると判断して着荷表示を行うため、宅配業者は宅配ボックス１が既に使用状態にあることを速やかに判断でき、居住者に対して解錠依頼をする等の次のステップに進むことができる。
更に、解錠したらメッセージが報音されるため、解錠されたことを認識でき、宅配業者はスムーズに荷物を宅配ボックス１に入れることができる。
また、玄関子機２はインターホン装置の一部を兼用することで安価に構成できるし、応答する居住者は宅配業者を映像で確認できるためセキュリティ維持に有効である。
【００３０】
尚、玄関子機２から携帯端末４を呼び出す構成としているが、携帯端末４との通信を複数の宅配ロッカーを管理するクラウドサーバが担い、玄関子機２とクラウドサーバとを通信ネットワークを介して通信させ、クラウドサーバを介して携帯端末４と玄関子機２との間で通信させても良い。
また居室親機３を備えている場合は、居室親機３に携帯端末４と通信する機能を設けて、居室親機３を介して玄関子機２と携帯端末４とを通信させても良い。
更に、照明部２４を着荷表示部としているが、専用の表示部を設けても良いし、呼出ボタン２１の位置を表示する電源表示灯を備えている場合は、電源表示灯と兼用してもよい。
【符号の説明】
【００３１】
１・・宅配ボックス、２・・玄関子機（呼出手段）、３・・居室親機、４・・携帯端末、４ｃ・・解錠ボタン（解錠操作部）、１１・・荷物スペース、１２・・電気錠、１３・・宅配ボックスＣＰＵ、１４・・施錠部、１５・・宅配ボックス通信ＩＦ（宅配ボックス通信部）２１・・呼出ボタン、２２・・カメラ、２３・・通話部、２３ｂ・・スピーカ、２４・・照明部（着荷表示部）、２５・・映像保存部、２６・・子機ＣＰＵ（カメラ制御部、報音制御部）、２７・・第１通信ＩＦ（第１通信部）、２８・・第２通信ＩＦ（第２通信部）、４１・・表示部、４２・・操作部、Ｎ・・通信ネットワーク。
【図１】
2020137545.tif 000003
【図２】
2020137545.tif 000004
【図３】
2020137545.tif 000005